(57)【要約】【課題】軸筒の後方視からの操作体の視認性が良好で、さらに後端から操作体へ手指を直接滑らせて操作可能とする。【解決手段】軸筒１１の後端に設けられ後方視で円形を呈する平坦面である軸筒後端面１３と、その軸筒後端面の外周１４と軸筒の外側面１２とを連結する軸筒連結面１３を分断する切り欠き１８と、筆記体４０の後端に装着された状態で軸筒１１に収容される操作体５０と、操作体５０を後方へ付勢する付勢部材８０と、軸筒１１において切り欠き１８から長手方向に沿って先端方向へ延設された案内溝１９と、操作体５０の外側面に設けられ案内溝１９から外方へ突出する操作突起５１と、操作体５０の後端に設けられ付勢部材８０の後方への付勢により筆記先端４３が先端開口２４に没入している状態において、軸筒連結面１３と面一となる操作体後端面５２と、を有する。【選択図】図３
2020104416.tif 000002
【特許請求の範囲】
【請求項１】
筆記先端を有する筆記体と、
前記筆記体を収容する軸筒と、
前記軸筒の先端に設けられ、前記筆記先端が出没可能な先端開口と、
前記軸筒の後端に設けられ、後方視で円形を呈する平坦面である軸筒後端面と、
前記軸筒後端面の外周と前記軸筒の外側面とを連結する傾斜面である軸筒連結面と、
後方視で前記軸筒連結面を分断する切り欠きと、
前記筆記体の後端に装着された状態で前記軸筒に収容される操作体と、
前記筆記体に装着され、前記操作体を後方へ付勢する付勢部材と、
前記軸筒において前記切り欠きから長手方向に沿って先端方向へ前記軸筒の中途部分まで延設され、前記操作体が前後方向に摺動可能な案内溝と、
前記操作体の外側面に設けられ、前記案内溝から外方へ突出する操作突起と、
前記操作体の後端に設けられ、前記付勢部材の後方への付勢により前記筆記先端が前記先端開口に没入している状態において、前記軸筒連結面と面一となる操作体後端面と、を有することを特徴とする筆記具。
【請求項２】
前記軸筒は、複数の前記筆記体を収容し、
前記軸筒における前記切り欠き及び前記案内溝並びに前記操作体及び前記付勢部材はいずれも前記筆記体と同数が設けられていることを特徴とする、請求項１に記載の筆記具。
【請求項３】
前記操作体のうち少なくとも１つは、他の前記操作体とは異なる色彩及び異なる形状の少なくとも一方を有していることを特徴とする、請求項２に記載の筆記具。
【請求項４】
前記操作突起の少なくとも１つは、表面に識別突起が形成されていることを特徴とする、請求項２又は３に記載の筆記具。
【請求項５】
前記操作突起は、前記操作体後端面から曲面をもって連続していることを特徴とする、請求項１から４までのいずれか１項に記載の筆記具。
【請求項６】
前記操作突起と前記操作体後端面との間には陥凹部が形成されていることを特徴とする、請求項１から４までのいずれか１項に記載の筆記具。
【発明の詳細な説明】
【技術分野】
【０００１】
本発明は、操作体の摺動により軸筒内に収容された筆記部を出没させる筆記具に関する。
【背景技術】
【０００２】
従来より、特許文献１のように軸筒に複数本の筆記体が収容された筆記具においては、部品数が多く、組み立て時間が単数のものより長くなり課題となっている。時間が多くなる要因として、先端側と後端側とでノック棒と筆記体を各々挿入することが原因であることから特許文献２のようにノック棒と筆記体を一体に組み立て、軸筒の後部の窓穴（操作体を突出させるための穴）から挿入することで生産性の向上を図っている。
【先行技術文献】
【特許文献】
【０００３】
【特許文献１】特開２０１６−８３９０６号公報
【特許文献２】特開２０１１−２４０５５５号公報
【発明の概要】
【発明が解決しようとする課題】
【０００４】
しかし、特許文献１及び２に開示された筆記具においては、筆記体を軸筒の先端から出没させるための操作体の後端が軸筒の後端より前方に位置しており、軸筒の後方視では操作体が認められにくい場合があった。また、軸筒の後端から操作体に直接手指を滑らせてこれを操作することはできなかった。
【０００５】
以上に鑑み、本開示は、軸筒の後方視からの操作体の視認性が良好で、さらに後端から操作体へ手指を直接滑らせて操作可能とすることを課題とする。
【課題を解決するための手段】
【０００６】
本開示の第１態様に係る筆記具は、筆記先端を有する筆記体と、前記筆記体を収容する軸筒と、前記軸筒の先端に設けられ、前記筆記先端が出没可能な先端開口と、前記軸筒の後端に設けられ、後方視で円形を呈する平坦面である軸筒後端面と、前記軸筒後端面の外周と前記軸筒の外側面とを連結する傾斜面である軸筒連結面と、後方視で前記軸筒連結面を分断する切り欠きと、前記筆記体の後端に装着された状態で前記軸筒に収容される操作体と、前記筆記体に装着され、前記操作体を後方へ付勢する付勢部材と、前記軸筒において前記切り欠きから長手方向に沿って先端方向へ前記軸筒の中途部分まで延設され、前記操作体が前後方向に摺動可能な案内溝と、前記操作体の外側面に設けられ、前記案内溝から外方へ突出する操作突起と、前記操作体の後端に設けられ、前記付勢部材の後方への付勢により前記筆記先端が前記先端開口に没入している状態において、前記軸筒連結面と面一となる操作体後端面と、を有する。
【０００７】
上記構成によれば、筆記先端が没入している状態で、対応する操作体の操作体後端面が、軸筒後端面と連結する軸筒連結面と面一となっているため、軸筒の後方視からの操作体の視認性が良好である。さらに、軸筒の後端から操作体後端面へ手指を直接滑らせて操作することも可能となっている。
【０００８】
本開示の第２態様に係る筆記具は、第１態様の構成に加え、前記軸筒は、複数の前記筆記体を収容し、前記軸筒における前記切り欠き及び前記案内溝並びに前記操作体及び前記付勢部材はいずれも前記筆記体と同数が設けられている。
【０００９】
上記構成によれば、いわゆる複式筆記具において、複数の筆記体に対応する操作体のそれぞれについて、軸筒の後方視からの視認性が良好となり、さらに、軸筒の後端から操作体後端面へ直接手指を滑らせて操作することも可能となっている。
【００１０】
本開示の第３態様に係る筆記具は、第２態様の構成に加え、前記操作体のうち少なくとも１つは、他の前記操作体とは異なる色彩及び異なる形状の少なくとも一方を有している。
【００１１】
上記構成によれば、いわゆる複式筆記具において、各々の操作体の区別が容易となる。
【００１２】
本開示の第４態様に係る筆記具は、第２態様又は第３態様の構成に加え、前記操作突起の少なくとも１つは、表面に識別突起が形成されている。
【００１３】
上記構成によれば、操作突起の表面には識別突起を形成することでインク色や筆記体の種類の違い等を触覚的に識別することが容易である。
【００１４】
本開示の第５態様に係る筆記具は、第１態様から第４態様までのいずれかの構成に加え、前記操作突起は、前記操作体後端面から曲面をもって連続している。
【００１５】
上記構成によれば、軸筒の後端から操作体後端面に直接手指を滑らせると、手指はそのままスムーズに操作突起に至り、筆記先端の出没操作が容易である。
【００１６】
本開示の第６態様に係る筆記具は、第１態様から第４態様までのいずれかの構成に加え、前記操作突起と前記操作体後端面との間には陥凹部が形成されている。
【００１７】
上記構成によれば、軸筒の後端から操作体後端面に直接手指を滑らせる際、操作突起の後方の陥凹部に手指を当接させやすいため、操作突起による筆記先端の出没操作が容易である。
【発明の効果】
【００１８】
本開示によれば、軸筒の後方視からの操作体の視認性が良好で、さらに後端から操作体へ手指を直接滑らせて操作可能とすることで操作性も良好な筆記具を提供することができる。
【図面の簡単な説明】
【００１９】
【図１】第１実施形態の筆記具の正面図である。
【図２】図１の筆記具を後方視で示す平面図である。
【図３】図１の筆記具を後方視で示す斜視図である。
【図４】図２のＡ−Ａ断面図である。
【図５】図１の筆記具に用いられる後軸の正面図である。
【図６】図５のＢ−Ｂ断面図である。
【図７】図５の後軸を一部破断して示す斜視図である。
【図８】図１の筆記具に用いられる操作体を前方視で示す斜視図である。
【図９】図８の操作体を後方視で示す斜視図である。
【図１０】図８の操作体の正面図である。
【図１１】図８の操作体の側面図である。
【図１２】図１の筆記具に用いられる内筒を前方視で示す斜視図である。
【図１３】図１２の内筒を後方視で示す斜視図である。
【図１４】図１２の内筒の正面図である。
【図１５】図１２の内筒を前方視で示す底面図である。
【図１６】図１２の内筒を後方視で示す平面図である。
【図１７】図１２の内筒を一部破断して示す斜視図である。
【図１８】図１の筆記具に用いられるガイド部材を前方視で示す斜視図である。
【図１９】図１８のガイド部材を後方視で示す斜視図である。
【図２０】図１８のガイド部材の正面図である。
【図２１】図１８のガイド部材を前方視で示す底面図である。
【図２２】図１８のガイド部材を後方視で示す平面図である。
【図２３】第２実施形態の筆記具の正面図である。
【図２４】図２３の筆記具を後方視で示す平面図である。
【図２５】図２３の筆記具を後方視で示す斜視図である。
【図２６】図２４のＣ−Ｃ断面図である。
【図２７】図２３の筆記具に用いられる後軸の正面図である。
【図２８】図２７のＤ−Ｄ断面図である。
【図２９】図２７の後軸を一部破断して示す斜視図である。
【図３０】図２３の筆記具に用いられる操作体を前方視で示す斜視図である。
【図３１】図３０の操作体を後方視で示す斜視図である。
【図３２】図３０の操作体の正面図である。
【図３３】図３０の操作体の側面図である。
【図３４】図２３の筆記具に用いられる内筒を前方視で示す斜視図である。
【図３５】図３４の内筒を後方視で示す斜視図である。
【図３６】図３４の内筒の正面図である。
【図３７】図３４の内筒を前方視で示す底面図である。
【図３８】図３４の内筒を後方視で示す平面図である。
【図３９】図３４の内筒を一部破断して示す斜視図である。
【発明を実施するための形態】
【００２０】
以下、本開示における各実施形態を図面を参照しつつ説明する。なお、本開示において「前方」とは筆記具１０において筆記先端４３の位置する側をいい、「前方視」とは筆記具１０を前方からの視点で見た状態をいう。また、「後方」とは筆記具１０において筆記先端４３の位置する側の反対側をいい、「後方視」とは筆記具１０を後方からの視点で見た状態をいう。さらに、「先端」とは対象となる部材又は構造の前方側の端をいい、「後端」とは対象となる部材又は構造の後方側の端をいう。
【００２１】
［第１実施形態］
＜全体構成＞
本開示における第１実施形態の筆記具１０は、図１の正面図で示すような外観を呈する。筆記具１０は、各々筆記先端４３を有する複数の、具体的には４本の筆記体４０（図４参照）としてのボールペンリフィルを軸筒１１の内部に収容した構成を有する。軸筒１１は、前半部分を構成する先軸２０と、後半部分を構成する後軸３０とが互いに螺合して形成される。なお、この図１は、４本の筆記体４０の全てが軸筒１１の中に没入している状態を示している。
【００２２】
先軸２０は先端及び後端が開放した筒状構造を呈する。先軸２０の中間部分は外径を減じ縊れたグリップ部２２となっている。このグリップ部２２から前方へ向かって一旦先軸２０の外径は微増するが、さらに前方に向かって急激に縮径した先細部２３が形成される。先軸２０の先端は軸筒１１全体の先端であり、後述する筆記先端４３（図４参照）が出没可能な先端開口２４が設けられている。
【００２３】
後軸３０は先端が開放し後端が閉鎖した略円筒状構造を呈する。この略円筒状構造の側面は軸筒の外側面１２を構成している。また、後軸３０の後端は軸筒１１全体の後端であり、後方視で円形を呈する平坦面（図２及び図３参照）である軸筒後端面１３が設けられている。軸筒後端面１３と軸筒の外側面１２との間には、これらを連結する傾斜面である軸筒連結面１５が設けられている。換言すると、軸筒後端面１３の直径は軸筒の外側面１２の直径よりは小さく、軸筒後端面１３から軸筒の外側面１２に向かって、軸筒連結面１５によって外径が漸増している。
【００２４】
後軸３０の軸筒後端面１３から、長手方向に沿って先端方向へは、筆記体４０と同数の４本の案内溝１９が延設され、後軸３０の中途部分に達している。この中途部分とは、後軸３０の先端までは貫通していないという意であり、実際には、後軸３０の中間よりも後端寄りの位置である。この案内溝１９には、後述するように筆記体４０の後端に装着された状態で軸筒に収容される操作体５０（図４参照）が位置している。当然、この操作体５０は、筆記体４０と同数の４本設けられている。この操作体５０の外側面に設けられている操作突起５１が、案内溝１９から外方へ突出し、案内溝１９に沿って前後方向に摺動可能となっている。
【００２５】
＜軸筒後端面１３及び軸筒連結面１５＞
図２及び図３は、本実施形態の筆記具１０を後方視でそれぞれ示す平面図及び斜視図である。軸筒後端面１３は、図２に示すように、後方視で円形を呈している。換言すると、軸筒後端面の外周１４は円形を呈している。なお、軸筒後端面１３は必ずしも幾何学的な意味での円である必要はなく、円周の一部に欠けた箇所があったとしてもその箇所を補完すれば全体として円形と認められる形状であれば足りる。軸筒後端面の外周１４と、軸筒の外側面１２との間には、これらを連結する傾斜面（図３参照）としての軸筒連結面１５が形成されている。軸筒連結面１５は、筆記体４０と同数の４箇所の切り欠き１８にて分断されている。軸筒連結面１５と軸筒の外側面１２との境界をなす軸筒連結面の先端縁１６は円弧状を呈しており、これらの円弧は、切り欠き１８の部分で連結されると後方視にて仮想的な円周１７となる（図２参照）。案内溝１９はこの切り欠き１８から先端方向へ延設されている（図３参照）。切り欠き１８は軸心に対して等配されており（図２参照）、したがって、ここから先端方向へ延設される案内溝１９も同様に等配されている。
【００２６】
各々の操作体５０の操作突起５１から後方へ曲面をもって連続している操作体後端面５２は、切り欠き１８の中に収まった状態で、軸筒連結面１５と面一になることで、軸筒連結面１５と操作体後端面５２とはほぼ連続した環状の傾斜面をなしている。
【００２７】
各々の操作体５０のうち少なくとも１つ、具体的には各々の操作体５０はそれぞれ異なる色彩の材質で形成され、これらの色彩により対応する筆記体４０が収容するインクの色を視覚的に識別させることができる。また、各々の操作体５０のうち３本における操作体後端面５２の表面には、それぞれ１個、２個及び３個の識別突起５２Ａが形成され、残りの１本には形成されていない。これにより、各々の操作体５０のうち少なくとも１つ、具体的には各々の操作体５０はそれぞれ異なる形状を有することとなっている。これらの操作体５０の形状の相違、具体的には識別突起５２Ａの有無及び個数によって、対応する筆記体４０が収容するインクの色を触覚的に識別させることができる。なお、各々の操作体５０においては、上記したような色彩の相違と形状の相違とはそれぞれ少なくとも一方を備えることとすれば、対応する筆記体４０が収容するインクの色の識別という機能を達成することは可能である。また、このような色彩の相違と形状の相違との少なくとも一方による識別機能は、インクの色の識別のみならず、シャープペンシルや固体筆記具、熱変色性筆記具等、筆記体４０の種類の違いとしてもよいし、筆記体４０をボールペンリフィルとした場合にはボールペンチップのボール径の大きさの違いとしてもよい。
【００２８】
＜内部構造＞
図４は、図２のＡ−Ａ断面図であり、筆記具１０の内部構造を示す。
【００２９】
後軸３０の先端内周面には雌ネジ３１が切られており、また、先軸２０の後端外周面には雄ネジ２１が切られていることで、これらを螺合して軸筒１１が形成されている。
【００３０】
各々の筆記体４０は、図示しないインクを収容する長円筒状のインク収容管４１の先端に、継手４２を介して、筆記先端４３としてのボールペンチップが装着された構造を有している。各々の筆記体４０の後端には、操作体５０の先端に形成された接続突起５３が挿入されることで、操作体５０が接続されている。操作体５０の軸心側には、内方に突出した前方解除突起５５及び後方解除突起５６が形成されている。また、操作体５０の先端付近には、外方に突出した外方突起５４が形成されている。さらに、各々の筆記体４０の後端付近の外周に装着される付勢部材８０も設けられている。当然、この付勢部材８０は、筆記体４０と同数の４本設けられている。付勢部材８０は、軸筒１１のほぼ中間部分に内挿されるガイド部材７０の先端筒状部７１の後方側の面と、操作体５０の先端部分との間に介装され、操作体５０を後方へ付勢している。この付勢部材８０によって操作体５０が後方へ付勢されることで、筆記体４０も同時に後方へ付勢され、図４に示すように、筆記先端４３が先端開口２４に没入している状態が維持されている。この状態において、図３に示すように、操作体後端面５２は軸筒連結面１５と面一となっている。また、全ての筆記先端４３が没入している状態において、各操作体５０の前方解除突起５５及び後方解除突起５６は軸心で接した状態を取っている。なお、ガイド部材７０は、図４においては、この先端筒状部７１の断面の他は軸心に位置する中心柱７３の断面が視認されるのみであるが、より詳細な構造については後述する。
【００３１】
各々の操作体５０は、軸筒１１の後端側に内挿される内筒６０の内部に収容されている。内筒６０は、図４においては、軸筒後端面１３の前方内側面に当接する後端円盤部６３の断面と、案内溝１９の直前において後軸３０の内面に接する先端環状部６１の断面とが視認されるのみであるが、より詳細な構造については後述する。
【００３２】
＜後軸３０＞
図５は、軸筒１１の後半部分である後軸３０の外観を正面図で示す。
【００３３】
先述のとおり、軸筒後端面１３と軸筒の外側面１２とを連結する軸筒連結面１５を、切り欠き１８が分断している。また、この切り欠き１８から先端方向へ、案内溝１９が延設されている。
【００３４】
図６は、図５のＢ−Ｂ断面図であり、図７は、後軸３０の一部を破断して内部構造を示した斜視図である。これら図６及び図７からも、切り欠き１８から先端方向へ案内溝１９が延設されていることが分かる。また、後軸３０の内側面において、隣接する各案内溝１９の間に、内方へ突出する突条である補強リブ３２が長手方向へ延設されている。一方、後軸３０の先端内側面には、先述したように先軸２０の後端外周面の雄ネジ２１（図４参照）と螺合する雌ネジ３１が切られている。さらに、補強リブ３２と雌ネジ３１とのほぼ中間部分に、周方向の突条である支持突条３３が内方へ突設されている。この支持突条３３は、軸筒１１の内側面で、先述のガイド部材７０の先端筒状部７１の先端縁を支持する構造である（図４参照）。
【００３５】
＜操作体５０＞
図８〜図１１は、操作体５０の外観を、それぞれ前方斜視図、後方斜視図、正面図及び側面図で示す。
【００３６】
操作体５０の外側面の後端側には、先述したように操作突起５１が外方へ突出し、その後方は曲面をもって操作体後端面５２へと連続している。図８〜図１１に示す操作体では、操作体後端面５２には３個の識別突起５２Ａが突設されている。一方、操作体５０の先端から前方へ、略円柱状の接続突起５３が突設されている。この接続突起５３は先述のとおり筆記体４０のインク収容管４１の後端に接続される（図４参照）。また、操作体５０の外側面の先端付近には、略直方体形状の外方突起５４が突設されている。この外方突起５４は、筆記体４０の没入状態において、内筒６０の先端環状部６１の先端縁と当接する構造である（図４参照）。さらに、外方突起５４の先端側の面（図８参照）と、操作体の内側面の先端側の段差とで、後端支持面５８が形成されている。この後端支持面５８は、図４に示すように筆記体４０に装着されている状態の付勢部材８０の後端を支持する。
【００３７】
操作体５０の後端付近の両側面の、操作突起５１の両側に、長手方向に沿った突条である摺動翼突起５７が突設されている（図１０参照）。この摺動翼突起５７は、後述する内筒６０に設けられるガイドレール６８と摺接する構造である。
【００３８】
操作突起５１の後端側の内方は略Ｌ字状に切り欠かれており（図１１参照）、この切り欠かれた部分の後端側の面（図９参照）が、後端係止部５１Ａとなっている。この後端係止部５１Ａは、筆記体４０が突出状態を保っているときに、後述する内筒６０のガイドレール６８の先端の係止端６８Ａと係止する構造である。
【００３９】
操作体５０の内側面からは、前方解除突起５５と後方解除突起５６とがそれぞれ内方へ突設されている。これら前方解除突起５５及び後方解除突起５６は、筆記体４０の突出状態から没入状態への遷移に関与する構造である。
【００４０】
＜内筒６０＞
図１２〜図１６は、内筒６０の外観を、それぞれ前方斜視図、後方斜視図、正面図、底面図及び平面図で示す。また、図１７は、内筒６０の一部を破断して内部構造を示した斜視図である。
【００４１】
内筒６０は、先端側を構成する先端環状部６１と、後端側を構成する後端円盤部６３とが、内筒側面６６で連結された略円筒構造を呈する。先端環状部６１の中心を含む大部分の領域は、前後に貫通した十字開口６２が位置している（図１２、図１５参照）。後端円盤部６３の中心には、円形の後端孔６４が貫通している（図１３、図１６参照）。内筒側面６６の外周の４箇所には、先端環状部６１から後端円盤部６３までに至る略長方形の側面開口６７が開口し、各々の側面開口６７に１対のガイドレール６８が外部から視認される（図１４参照）。
【００４２】
内筒６０の内側面においては、内方へ突出し、断面が直角二等辺三角形状の三角突条６０Ａが内筒の全長にわたって４本等配されており、ガイドレール６８はこの三角突条６０Ａの各面から長手方向に沿って突設されている（図１７参照）。また、同一の三角突条６０Ａから突設されているガイドレール６８の間は、断面が直角二等辺三角形状の補強部６９で充填されている（図１７参照）。各ガイドレール６８の先端は、係止端６８Ａとなっており、ここに先述した操作体５０の後端係止部５１Ａ（図９、図１１参照）が係止することで、対応する筆記体４０の突出状態が維持される。
【００４３】
＜ガイド部材７０＞
図１８〜図２２は、ガイド部材７０の外観を、それぞれ前方斜視図、後方斜視図、正面図、底面図及び平面図で示す。
【００４４】
ガイド部材７０は、先端側を構成する円柱形状の先端筒状部７１と、この先端筒状部７１の中心から後方へ突設される中心柱７３（図１９、図２０、図２２参照）と、この中心柱７３の周囲に等配される４本の周辺柱７４（図１９、図２２参照）とを有する。また、隣接する周辺柱７４の間の辺縁付近には、それぞれ２個ずつ小突起である周辺突起７５が形成されている（図２２参照）。
【００４５】
先端筒状部７１には４個の円形の貫通孔である挿通孔７２が設けられている（図１８、図２１参照）。各々の挿通孔７２はそれぞれ、図４に示すように、筆記体４０のインク収容管４１が挿通する構造である。各々の挿通孔７２は、中心柱７３と、２本の周辺柱７４と、２個の周辺突起７５とによって囲まれている。この挿通孔７２の周囲の、中心柱７３と、２本の周辺柱７４と、２個の周辺突起７５とによって囲まれている平面が先端支持面７８である（図２２参照）。この先端支持面７８は、図４に示すように付勢部材８０の先端を支持する。
【００４６】
＜作用＞
図４の断面図及び適宜他の図を参照しつつ、本実施形態の筆記具１０の作用を説明する。
【００４７】
図４に示すように、全ての筆記体４０の筆記先端４３が先端開口２４に没入している状態（没入状態）では、操作体５０は付勢部材８０によって後方に付勢されるため、最も後端寄りの位置を維持している。このとき、操作体５０の外方突起５４が内筒６０の先端環状部６１の先端に当接した位置が、操作体５０の軸筒内での最後方の位置である。このときに操作体後端面５２は軸筒連結面１５の切り欠き１８の中に位置することで軸筒連結面１５と面一の曲面を形成する。この状態で、図２及び図３に示すように、操作体５０は軸筒１１の後方から視認できる面の範囲内に位置することとなり、どこにどの色の筆記体４０が位置しているか一目で分かる。
【００４８】
この没入状態から、手指（たとえば、親指）を、軸筒１１の後端に当てた位置から、所望の色の操作体５０のある位置に滑らせるように移動させると、操作体後端面５２の曲面を自然に押下することができる。それにより、操作突起５１を案内溝１９に沿って、付勢部材８０を圧縮させつつ先端方向へ移動させることができる。
【００４９】
一方、没入状態では、各々の操作体５０の１対の摺動翼突起５７（図１０参照）は、内筒６０の対応する１対のガイドレール６８（図１４参照）の外側面に接触している。この状態から、上記のように操作突起５１が案内溝１９に沿って先端方向へ移動させられると、摺動翼突起５７はガイドレール６８に沿って先端方向へ摺動する。そして、摺動翼突起５７がガイドレール６８の先端よりもさらに先端に移動すると、摺動翼突起５７はガイドレール６８の先端から軸心方向へ沈み込むように脱落し、操作体５０の全体が案内溝１９において軸心方向へ沈み込む。この状態に至ると、対応する筆記体４０の筆記先端４３は先端開口２４から突出した状態（突出状態）となる。
【００５０】
この突出状態において操作突起５１への前方への押圧を解除すると、圧縮された付勢部材８０が復元しようとする力により操作体５０は後方へ押圧される。しかし、軸心方向に操作体５０が沈み込んでいるため、操作体５０の後端係止部５１Ａ（図９、図１１参照）がガイドレール６８の先端である係止端６８Ａと当接し、操作体５０はこれ以上後方へ移動することはできない。このようにして、対応する筆記先端４３の突出状態は維持され、筆記が可能となる。
【００５１】
ここで、ある筆記体４０の筆記先端４３が突出状態にあるとき、対応する操作体５０の後方解除突起５６は、他の没入状態にある操作体５０の前方解除突起５５の直前に当接して係止した状態となっている。ここから、他の没入状態にある操作体５０の操作突起５１のいずれかを前方へ押圧すると、押圧された操作体５０の前方解除突起５５が、突出状態にある操作体５０の後方解除突起５６を押圧し、押圧された操作体５０は案内溝１９において外方へ浮き上がるように移動させられる。これによって、当該操作体５０の後端係止部５１Ａとガイドレール６８の係止端６８Ａとの係合が解除されると、当該操作体５０は付勢部材８０の復元力によって後方へ押圧され、外方突起５４が内筒６０の先端環状部６１の先端に当接する位置にまで押し戻され、図４に示す没入状態へ復帰する。
【００５２】
［第２実施形態］
＜全体構成＞
本開示における第２実施形態の筆記具１０は、図２３の正面図で示すような外観を呈する。筆記具１０は、各々筆記先端４３を有する複数の、具体的には４本の筆記体４０（図２６参照）としてのボールペンリフィルを軸筒１１の内部に収容した構成を有する。軸筒１１は、前半部分を構成する先軸２０と、後半部分を構成する後軸３０とが互いに螺合して形成される。なお、この図２３は、４本の筆記体４０の全てが軸筒１１の中に没入している状態を示している。
【００５３】
先軸２０は先端及び後端が開放した筒状構造を呈する。先軸２０の中間部分は外径を減じ縊れたグリップ部２２となっている。このグリップ部２２から前方へ向かって一旦先軸２０の外径は微増するが、さらに前方に向かって急激に縮径した先細部２３が形成される。先軸２０の先端は軸筒１１全体の先端であり、後述する筆記先端４３（図２６参照）が出没可能な先端開口２４が設けられている。
【００５４】
後軸３０は先端が開放し後端が閉鎖した略円筒状構造を呈する。この略円筒状構造の側面は軸筒の外側面１２を構成している。また、後軸３０の後端は軸筒１１全体の後端であり、後方視で４箇所が切り欠かれた円形を呈する平坦面（図２４及び図２５参照）である軸筒後端面１３が設けられている。軸筒後端面１３と軸筒の外側面１２との間には、これらを連結する傾斜面である軸筒連結面１５が設けられている。換言すると、軸筒後端面１３の直径は軸筒の外側面１２の直径よりは小さく、軸筒後端面１３から軸筒の外側面１２に向かって、軸筒連結面１５によって外径が漸増している。
【００５５】
後軸３０の軸筒後端面１３から、長手方向に沿って先端方向へは、筆記体４０と同数の４本の案内溝１９が延設され、後軸３０の中途部分に達している。この中途部分とは、後軸３０の先端までは貫通していないという意であり、実際には、後軸３０の中間よりも後端寄りの位置である。この案内溝１９には、後述するように筆記体４０の後端に装着された状態で軸筒に収容される操作体５０（図２６参照）が位置している。当然、この操作体５０は、筆記体４０と同数の４本設けられている。この操作体５０の外側面に設けられている操作突起５１が、案内溝１９から外方へ突出し、案内溝１９に沿って前後方向に摺動可能となっている。
【００５６】
＜軸筒後端面１３及び軸筒連結面１５＞
図２４及び図２５は、本実施形態の筆記具１０を後方視でそれぞれ示す平面図及び斜視図である。軸筒後端面１３は、図２４に示すように、後方視で４箇所が切り欠かれた円形を呈している。なお、軸筒後端面１３は幾何学的な意味での円ではないが、円周の一部の欠けた箇所が操作体５０の後端により補完されて全体としてほぼ円形をなしている。軸筒後端面の外周１４と、軸筒の外側面１２との間には、これらを連結する傾斜面（図２５参照）としての軸筒連結面１５が形成されている。軸筒連結面１５は、筆記体４０と同数の４箇所の切り欠き１８にて分断されている。本実施形態では、この切り欠き１８は軸筒後端面１３まで浸入しているため、先述のように軸筒後端面１３は４箇所が切り欠かれた円形となっている。軸筒連結面１５と軸筒の外側面１２との境界をなす軸筒連結面の先端縁１６は円弧状を呈しており、これらの円弧は、切り欠き１８の部分で連結されると後方視にて仮想的な円周１７となる（図２４参照）。案内溝１９はこの切り欠き１８から先端方向へ延設されている（図２５参照）。切り欠き１８は軸心に対して等配されており（図２４参照）、したがって、ここから先端方向へ延設される案内溝１９も同様に等配されている。
【００５７】
各々の操作体５０の操作突起５１から後方へ、長手方向に対して垂直な垂直面５１Ｂ及び長手方向に平行な平行面５１Ｃからなる陥凹部５１Ｄ（図２６参照）を介した操作体後端面５２は、切り欠き１８の中に収まった状態で、軸筒連結面１５と面一になることで、軸筒連結面１５と操作体後端面５２とはほぼ連続した環状の傾斜面をなしている。なお、この操作体後端面５２のさらに後方は、長手方向に対して垂直な面となっており、この面が図２４及び図２５に示すように軸筒後端面１３において切り欠き１８を補完している。
【００５８】
各々の操作体５０のうち少なくとも１つ、具体的には各々の操作体５０はそれぞれ異なる色彩の材質で形成され、これらの色彩により対応する筆記体４０が収容するインクの色を視覚的に識別させることができる。なお、このような色彩の相違による識別機能は、インクの色の識別のみならず、シャープペンシルや固体筆記具、熱変色性筆記具等、筆記体４０の種類の違いとしてもよいし、筆記体４０をボールペンリフィルとした場合にはボールペンチップのボール径の大きさの違いとしてもよい。
【００５９】
＜内部構造＞
図２６は、図２４のＣ−Ｃ断面図であり、筆記具１０の内部構造を示す。
【００６０】
後軸３０の先端内周面には雌ネジ３１が切られており、また、先軸２０の後端外周面には雄ネジ２１が切られていることで、これらを螺合して軸筒１１が形成されている。
【００６１】
各々の筆記体４０は、図示しないインクを収容する長円筒状のインク収容管４１の先端に、継手４２を介して、筆記先端４３としてのボールペンチップが装着された構造を有している。各々の筆記体４０の後端には、操作体５０の先端に形成された接続突起５３が挿入されることで、操作体５０が接続されている。操作体５０の軸心側には、内方に突出した前方解除突起５５及び後方解除突起５６が形成されている。また、操作体５０の先端付近には、外方に突出した外方突起５４が形成されている。さらに、各々の筆記体４０の後端付近の外周に装着される付勢部材８０も設けられている。当然、この付勢部材８０は、筆記体４０と同数の４本設けられている。付勢部材８０は、軸筒１１のほぼ中間部分に内挿されるガイド部材７０の先端筒状部７１の後方側の面と、操作体５０の先端部分との間に介装され、操作体５０を後方へ付勢している。この付勢部材８０によって操作体５０が後方へ付勢されることで、筆記体４０も同時に後方へ付勢され、図２６に示すように、筆記先端４３が先端開口２４に没入している状態が維持されている。この状態において、図２５に示すように、操作体後端面５２は軸筒連結面１５と面一となっている。また、全ての筆記先端４３が没入している状態において、各操作体５０の前方解除突起５５及び後方解除突起５６は軸心で接した状態を取っている。なお、ガイド部材７０は、図２６においては、この先端筒状部７１の断面の他は軸心に位置する中心柱７３の断面が視認されるのみであるが、より詳細な構造については第１実施形態と同様である。
【００６２】
各々の操作体５０は、軸筒１１の後端側に内挿される内筒６０の内部に収容されている。内筒６０は、図２６においては、軸筒後端面１３の前方内側面に当接する後端円盤部６３の断面と、案内溝１９の直前において後軸３０の内面に接する先端環状部６１の断面とが視認されるのみであるが、より詳細な構造については後述する。
【００６３】
＜後軸３０＞
図２７は、軸筒１１の後半部分である後軸３０の外観を正面図で示す。
【００６４】
先述のとおり、軸筒後端面１３と軸筒の外側面１２とを連結する軸筒連結面１５を、切り欠き１８が分断している。また、この切り欠き１８から先端方向へ、案内溝１９が延設されている。
【００６５】
図２８は、図２７のＤ−Ｄ断面図であり、図２９は、後軸３０の一部を破断して内部構造を示した斜視図である。これら図２８及び図２９からも、切り欠き１８は軸筒後端面１３の円周をも分断し、また、切り欠き１８から先端方向へ案内溝１９が延設されていることが分かる。また、後軸３０の内側面において、隣接する各案内溝１９の間に、内方へ突出する突条である補強リブ３２が長手方向へ延設されている。一方、後軸３０の先端内側面には、先述したように先軸２０の後端外周面の雄ネジ２１（図２６参照）と螺合する雌ネジ３１が切られている。さらに、補強リブ３２と雌ネジ３１とのほぼ中間部分に、周方向の突条である支持突条３３が内方へ突設されている。この支持突条３３は、軸筒１１の内側面で、先述のガイド部材７０の先端筒状部７１の先端縁を支持する構造である（図２６参照）。
【００６６】
＜操作体５０＞
図３０〜図３３は、操作体５０の外観を、それぞれ前方斜視図、後方斜視図、正面図及び側面図で示す。
【００６７】
操作体５０の外側面の後端側には、先述したように操作突起５１が外方へ突出し、その後方は、長手方向に対して垂直な垂直面５１Ｂ及び長手方向に平行な平行面５１Ｃからなる陥凹部５１Ｄが介在して操作体後端面５２となり、さらに長手方向に対して垂直な後端係止部５１Ａが形成されている。この後端係止部５１Ａは、筆記体４０が突出状態を保っているときに、後述する内筒６０のガイドレール６８の先端の係止端６８Ａと係止する構造である。一方、操作体５０の先端から前方へ、略円柱状の接続突起５３が突設されている。この接続突起５３は先述のとおり筆記体４０のインク収容管４１の後端に接続される（図２６参照）。また、操作体５０の外側面の先端付近には、略直方体形状の外方突起５４が突設されている。この外方突起５４は、筆記体４０の没入状態において、内筒６０の先端環状部６１の先端縁と当接する構造である（図２６参照）。さらに、外方突起５４の先端側の面（図３０参照）と、操作体の内側面の先端側の段差とで、後端支持面５８が形成されている。この後端支持面５８は、図２６に示すように筆記体４０に装着されている状態の付勢部材８０の後端を支持する。
【００６８】
ここで、陥凹部５１Ｄの平行面５１Ｃは平坦面として形成されているため、図２４に示す後方視では、軸筒連結面の先端縁１６を連結した仮想的な円周１７の範囲内に位置している。なお、この平行面５１Ｃを後方視で円弧状をなす曲面として形成し、図２４に示す後方視で、仮想的な円周１７と一致するようにしてもよい。
【００６９】
操作体５０の後端付近の両側面の、操作突起５１の両側に、長手方向に沿った突条である摺動翼突起５７が突設されている（図３２参照）。この摺動翼突起５７は、後述する内筒６０に設けられるガイドレール６８と摺接する構造である。
【００７０】
操作体５０の内側面からは、前方解除突起５５と後方解除突起５６とがそれぞれ内方へ突設されている。これら前方解除突起５５及び後方解除突起５６は、筆記体４０の突出状態から没入状態への遷移に関与する構造である。
【００７１】
＜内筒６０＞
図３４〜図３８は、内筒６０の外観を、それぞれ前方斜視図、後方斜視図、正面図、底面図及び平面図で示す。また、図３９は、内筒６０の一部を破断して内部構造を示した斜視図である。
【００７２】
内筒６０は、先端側を構成する先端環状部６１と、後端側を構成する後端円盤部６３とが、内筒側面６６で連結された略円筒構造を呈する。先端環状部６１の中心を含む大部分の領域は、前後に貫通した十字開口６２が位置している（図３４、図３７参照）。後端円盤部６３の中心には、円形の後端孔６４が貫通している（図３５、図３８参照）。内筒側面６６の外周の４箇所には、先端環状部６１から後端円盤部６３までに至る略長方形の側面開口６７が開口し、各々の側面開口６７に１対のガイドレール６８が外部から視認される（図３６参照）。なお、後端円盤部６３の辺縁には、この側面開口６７と連絡する後端切り欠き６５が設けられている。この後端切り欠き６５は、上述した軸筒後端面１３における切り欠き１８と平面視で一致した位置にある（図２６参照）
【００７３】
内筒６０の内側面においては、内方へ突出し、断面が直角二等辺三角形状の三角突条６０Ａが内筒の全長にわたって４本等配されており、ガイドレール６８はこの三角突条６０Ａの各面から長手方向に沿って突設されている（図３９参照）。また、同一の三角突条６０Ａから突設されているガイドレール６８の間は、断面が直角二等辺三角形状の補強部６９で充填されている（図３９参照）。各ガイドレール６８の先端は、係止端６８Ａとなっており、ここに先述した操作体５０の後端係止部５１Ａ（図３１、図３３参照）が係止することで、対応する筆記体４０の突出状態が維持される。
【００７４】
＜ガイド部材７０＞
ガイド部材７０については、第１実施形態と同様である。
【００７５】
＜作用＞
図２６の断面図及び適宜他の図を参照しつつ、本実施形態の筆記具１０の作用を説明する。
【００７６】
図２６に示すように、全ての筆記体４０の筆記先端４３が先端開口２４に没入している状態（没入状態）では、操作体５０は付勢部材８０によって後方に付勢されるため、最も後端寄りの位置を維持している。このとき、操作体５０の外方突起５４が内筒６０の先端環状部６１の先端に当接した位置が、操作体５０の軸筒内での最後方の位置である。このときに操作体後端面５２は軸筒連結面１５の切り欠き１８の中に位置することで軸筒連結面１５と面一の曲面を形成する。この状態で、図２４及び図２５に示すように、操作体５０は軸筒１１の後方から視認できる面の範囲内に位置することとなり、どこにどの色の筆記体４０が位置しているか一目で分かる。
【００７７】
この没入状態から、手指（たとえば、親指）を、軸筒１１の後端に当てた位置から、所望の色の操作体５０のある位置に滑らせるように移動させると、手指はすぐに操作突起５１の直後にある陥凹部５１Ｄの垂直面５１Ｂに当接し、操作突起５１を自然に押下することができる。それにより、操作突起５１を案内溝１９に沿って、付勢部材８０を圧縮させつつ先端方向へ移動させることができる。
【００７８】
一方、没入状態では、各々の操作体５０の１対の摺動翼突起５７（図３２参照）は、内筒６０の対応する１対のガイドレール６８（図３６参照）の外側面に接触している。この状態から、上記のように操作突起５１が案内溝１９に沿って先端方向へ移動させられると、摺動翼突起５７はガイドレール６８に沿って先端方向へ摺動する。そして、摺動翼突起５７がガイドレール６８の先端よりもさらに先端に移動すると、摺動翼突起５７はガイドレール６８の先端から軸心方向へ沈み込むように脱落し、操作体５０の全体が案内溝１９において軸心方向へ沈み込む。この状態に至ると、対応する筆記体４０の筆記先端４３は先端開口２４から突出した状態（突出状態）となる。
【００７９】
この突出状態において操作突起５１への前方への押圧を解除すると、圧縮された付勢部材８０が復元しようとする力により操作体５０は後方へ押圧される。しかし、軸心方向に操作体５０が沈み込んでいるため、操作体５０の最後端にある後端係止部５１Ａ（図３１、図３３参照）がガイドレール６８の先端である係止端６８Ａと当接し、操作体５０はこれ以上後方へ移動することはできない。このようにして、対応する筆記先端４３の突出状態は維持され、筆記が可能となる。
【００８０】
ここで、ある筆記体４０の筆記先端４３が突出状態にあるとき、対応する操作体５０の後方解除突起５６は、他の没入状態にある操作体５０の前方解除突起５５の直前に当接して係止した状態となっている。ここから、他の没入状態にある操作体５０の操作突起５１のいずれかを前方へ押圧すると、押圧された操作体５０の前方解除突起５５が、突出状態にある操作体５０の後方解除突起５６を押圧し、押圧された操作体５０は案内溝１９において外方へ浮き上がるように移動させられる。これによって、当該操作体５０の後端係止部５１Ａとガイドレール６８の係止端６８Ａとの係合が解除されると、当該操作体５０は付勢部材８０の復元力によって後方へ押圧され、外方突起５４が内筒６０の先端環状部６１の先端に当接する位置にまで押し戻され、図２６に示す没入状態へ復帰する。
【産業上の利用可能性】
【００８１】
本発明は、たとえば、ボールペンのような筆記具に利用可能である。
【符号の説明】
【００８２】
１０  筆記具              １１  軸筒                １２  軸筒の外側面
１３  軸筒後端面          １４  軸筒後端面の外周    １５  軸筒連結面
１６  軸筒連結面の先端縁  １７  仮想的な円周        １８  切り欠き
１９  案内溝
２０  先軸                ２１  雄ネジ              ２２  グリップ部
２３  先細部              ２４  先端開口
３０  後軸                ３１  雌ネジ              ３２  補強リブ
３３  支持突条
４０  筆記体              ４１  インク収容管        ４２  継手
４３  筆記先端
５０  操作体              ５１  操作突起            ５１Ａ  後端係止部
５１Ｂ  垂直面            ５１Ｃ  平行面            ５１Ｄ  陥凹部
５２  操作体後端面        ５２Ａ  識別突起          ５３  接続突起
５４  外方突起            ５５  前方解除突起        ５６  後方解除突起
５７  摺動翼突起          ５８  後端支持面
６０  内筒                ６１  先端環状部          ６２  十字開口
６３  後端円盤部          ６４  後端孔              ６５  後端切り欠き
６６  内筒側面            ６７  側面開口            ６８  ガイドレール
６８Ａ  係止端            ６９  補強部
７０  ガイド部材          ７１  先端筒状部          ７２  挿通孔
７３  中心柱              ７４  周辺柱              ７５  周辺突起
７８  先端支持面
８０  付勢部材
【図１】
2020104416.tif 000003
【図２】
2020104416.tif 000004
【図３】
2020104416.tif 000005
【図４】
2020104416.tif 000006
【図５】
2020104416.tif 000007
【図６】
2020104416.tif 000008
【図７】
2020104416.tif 000009
【図８】
2020104416.tif 000010
【図９】
2020104416.tif 000011
【図１０】
2020104416.tif 000012
【図１１】
2020104416.tif 000013
【図１２】
2020104416.tif 000014
【図１３】
2020104416.tif 000015
【図１４】
2020104416.tif 000016
【図１５】
2020104416.tif 000017
【図１６】
2020104416.tif 000018
【図１７】
2020104416.tif 000019
【図１８】
2020104416.tif 000020
【図１９】
2020104416.tif 000021
【図２０】
2020104416.tif 000022
【図２１】
2020104416.tif 000023
【図２２】
2020104416.tif 000024
【図２３】
2020104416.tif 000025
【図２４】
2020104416.tif 000026
【図２５】
2020104416.tif 000027
【図２６】
2020104416.tif 000028
【図２７】
2020104416.tif 000029
【図２８】
2020104416.tif 000030
【図２９】
2020104416.tif 000031
【図３０】
2020104416.tif 000032
【図３１】
2020104416.tif 000033
【図３２】
2020104416.tif 000034
【図３３】
2020104416.tif 000035
【図３４】
2020104416.tif 000036
【図３５】
2020104416.tif 000037
【図３６】
2020104416.tif 000038
【図３７】
2020104416.tif 000039
【図３８】
2020104416.tif 000040
【図３９】
2020104416.tif 000041